(57)【要約】【課題】建物の外壁を洗浄する洗浄装置において、余剰に供給された洗浄液を適切に処理し、外壁上の洗浄液を洗い流すことを可能にする。【解決手段】洗浄装置（２００）は、基板（１０３）と、基板の表側に取り付けられ、基板の面と平行な回転軸を有する洗浄ブラシ（１０４）と、基板の裏側に取り付けられた把持部（１０２）と、基板の表側において、基板の周囲に設けられたカバー（１０５）と、基板の表側に洗浄液を供給する洗浄液供給機構（１２０）と、からなる。カバーには、洗浄装置の使用時に最も下になる位置に、カバーを貫通する排水口（２０５）が形成されている。洗浄装置（２００）は、基板の表側に洗浄水を供給する洗浄水供給機構（２０１）と、排水口と排水タンクとを連結する排水用ホース（２０６）と、をさらに備えている。【選択図】図１
2007229597.tif 000002
【特許請求の範囲】
【請求項１】
基板と、
前記基板の表側に取り付けられた少なくとも一つの回転可能な洗浄ブラシであって、前記基板の面と平行な回転軸を有する洗浄ブラシと、
前記基板の裏側に取り付けられた把持部と、
前記基板の表側において、前記基板の周囲に設けられたカバーであって、前記洗浄ブラシを被洗浄物に押し付けたときに、前記カバーの先端が撓み、前記被洗浄物と前記先端との間に隙間が生じない程度の可撓性を有するカバーと、
前記基板の表側に洗浄液を供給する洗浄液供給機構と、
からなる建物の外壁の洗浄装置において、
前記カバーには、前記洗浄装置の使用時に最も下になる位置に、前記カバーを貫通する排水口が形成されており、
前記基板の表側に洗浄水を供給する洗浄水供給機構をさらに備えることを特徴とする建物の外壁の洗浄装置。
【請求項２】
基板と、
前記基板の表側に取り付けられた少なくとも一つの回転可能な洗浄ブラシであって、前記基板の面と平行な回転軸を有する洗浄ブラシと、
前記基板の裏側に取り付けられた把持部と、
前記基板の表側において、前記基板の周囲に設けられたカバーであって、前記洗浄ブラシを被洗浄物に押し付けたときに、前記カバーの先端が撓み、前記被洗浄物と前記先端との間に隙間が生じない程度の可撓性を有するカバーと、
前記基板の表側に洗浄液を供給する洗浄液供給機構と、
からなる建物の外壁の洗浄装置において、
前記カバーの内側において、前記洗浄装置の使用時に最も下になる位置において前記基板の表側から外側に向かって延びる剛性板と、
前記基板の表側に洗浄水を供給する洗浄水供給機構と、
をさらに備えており、
前記剛性板には前記剛性板を貫通する排水口が形成されていることを特徴とする建物の外壁の洗浄装置。
【請求項３】
排水吸引装置をさらに備えており、前記排水口は排水用ホースを介して前記排水吸引装置と連結することを特徴とする請求項１または２に記載の建物の外壁の洗浄装置。
【請求項４】
前記カバーの内側において、前記基板の表側から外側に向かって延びる少なくとも一つの第二の剛性板をさらに備えており、前記第二の剛性板は、前記洗浄ブラシを前記被洗浄物に押し付けたときの前記洗浄ブラシよりも高くない高さを有していることを特徴とする請求項２または３に記載の建物の外壁の洗浄装置。
【発明の詳細な説明】
【技術分野】
【０００１】
本発明は、建物の外壁を洗浄する洗浄装置に関する。
【背景技術】
【０００２】
建物の外壁を洗浄するための洗浄装置の一例として、特開２００５−１６９２６１号公報に記載されたものがある。
【０００３】
図８は同公報に記載された洗浄装置１００の平面図であり、図９は図８のＡ−Ａ線における断面図である。図１０は同公報に記載された洗浄装置１００の使用状態を示す概略図である。
【０００４】
以下、図８、図９及び図１０を参照して、上記公報に記載された洗浄装置１００を説明する。
【０００５】
洗浄装置１００は、図１０に示すように、建物の外壁１０１を洗浄するために用いられるものであり、建物の屋上から吊るされているゴンドラ１１０に載せて使用される。
【０００６】
上記公報に記載された洗浄装置１００は、図８及び図９に示すように、剛性を有する板からなる基板１０３と、基板１０３の表側に取り付けられた回転可能な４個の洗浄ブラシ１０４と、基板１０３の裏側に取り付けられた把持部としての一対のハンドル１０２と、基板１０３の表側において、基板１０３の周囲に設けられたカバー１０５と、から構成されている。
【０００７】
基板１０３は、例えば、アクリルからなる。このため、基板１０３は透明であり、ハンドル１０２を握っているユーザーは基板１０３の裏側から表側の状態を観察することができる。
【０００８】
各洗浄ブラシ１０４は、基板１０３の面と平行に回転可能に取り付けられた回転軸１０４ａと、回転軸１０４ａの周囲に取り付けられ、回転軸１０４ａから放射状に延びる毛部材１０４ｂと、から構成されている。回転軸１０４ａはその両端において、基板１０３の表側に取り付けられた一対の軸受け１０６の間に回転可能に支持されている。４個の洗浄ブラシ１０４は、基板１０３の中央を中心として、９０度の間隔で放射状に配置されている。
【０００９】
各洗浄ブラシ１０４の回転軸１０４ａの先端には傘歯車１０７が取り付けられており、各傘歯車１０７は基板１０３の中央に回転可能に取り付けられた傘歯車１０８と噛み合っている。
【００１０】
傘歯車１０８の軸１０８ａは基板１０３を貫通して基板１０３の裏側に突出しており、基板１０３の裏側において、ワイヤー１０９ｂを介して、電気モーター１０９ａに接続されている。
【００１１】
このため、電気モーター１０９ａを作動させると、その回転力がワイヤー１０９ｂを介して傘歯車１０８に伝達され、傘歯車１０８が回転する。傘歯車１０８が回転すると、各傘歯車１０７も回転し、各洗浄ブラシ１０４の毛部材１０４ｂが回転する。
【００１２】
カバー１０５は適度な可撓性を有する樹脂製のストリップからなり、各洗浄ブラシ１０４を覆うように基板１０３の外周に取り付けられている。
【００１３】
カバー１０５の先端の開口部１０５ａ（図９参照）は基板１０３よりも大きくなるように形成されており、カバー１０５を外壁１０１に押し付けたときに、外側に撓み、外壁１０１とカバー１０５と基板１０３とで密閉空間を形成する。このため、洗浄液が洗浄装置１００の周囲に飛散することがない。
【００１４】
また、洗浄装置１００は洗浄液噴射ユニットを備えている。
【００１５】
洗浄液噴射ユニットは、基板１０３の表側に突出する噴射ノズル１２０と、洗浄液タンク（図示せず）に接続されているポンプ装置１２２（図１０参照）と、噴射ノズル１２０とポンプ装置１２２とを接続するホース１２１と、から構成されている。
【００１６】
基板１０３の裏側に配置されているスイッチ（図示せず）をオンにすることにより、ポンプ装置１２２が作動を開始し、洗浄液タンク内の洗浄液を基板１０３の表側に供給することができるようになっている。スイッチをオフにすることにより、ポンプ装置１２２が作動を停止し、基板１０３の表側への洗浄液の供給も停止される。
【特許文献１】特開２００５−１６９２６１号公報
【発明の開示】
【発明が解決しようとする課題】
【００１７】
図８及び図９に示した従来の洗浄装置１００においては、洗浄液は、ポンプ装置１２２により、洗浄液タンクから供給されるようになっている。
【００１８】
しかしながら、洗浄装置１００は余剰に供給された洗浄液の処理については全く考慮されておらず、余剰に供給された洗浄液、すなわち、使用されなかった洗浄液は洗浄装置１００から下方に落下するに任せていた。
【００１９】
このため、カバー１０５が使用時における洗浄液の周囲への飛散を防止したとしても、余剰の洗浄液が全て地上に落下していたため、カバー１０５の存在価値は無いに等しかった。
【００２０】
さらに、洗浄液で外壁１０１を洗浄した後、水で外壁１０１上の洗浄液を洗い流すことが必要であるが、従来の洗浄装置１００は排水機能を有していないため、洗浄装置１００を用いて、水で外壁１０１上の洗浄液を洗い流すことは不可能であった。
【００２１】
本発明は、このような従来の洗浄装置１００における問題点に鑑みてなされたものであり、余剰に供給された洗浄液を適切に処理することができるとともに、外壁上の洗浄液を洗い流すことを可能にする洗浄装置を提供することを目的とする。
【課題を解決するための手段】
【００２２】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００２３】
上記の目的を達成するため、本発明は、基板（１０３）と、前記基板（１０３）の表側に取り付けられた少なくとも一つの回転可能な洗浄ブラシ（１０４）であって、前記基板（１０３）の面と平行な回転軸を有する洗浄ブラシ（１０４）と、前記基板（１０３）の裏側に取り付けられた把持部（１０２）と、前記基板（１０３）の表側において、前記基板（１０３）の周囲に設けられたカバー（１０５）であって、前記洗浄ブラシ（１０４）を被洗浄物（１０１）に押し付けたときに、前記カバー（１０５）の先端（１０５ａ）が撓み、前記被洗浄物（１０１）と前記先端（１０５ａ）との間に隙間が生じない程度の可撓性を有するカバー（１０５）と、前記基板（１０３）の表側に洗浄液を供給する洗浄液供給機構（１２０、１２１、１２２）と、からなる建物の外壁の洗浄装置（２００）において、前記カバー（１０５）には、前記洗浄装置（２００）の使用時に最も下になる位置に、前記カバー（１０５）を貫通する排水口（２０５）が形成されており、前記基板（１０３）の表側に洗浄水を供給する洗浄水供給機構（２０２、２０３、２０４）をさらに備えることを特徴とする建物の外壁の洗浄装置（２００）を提供する。
【００２４】
さらに、本発明は、基板（１０３）と、前記基板（１０３）の表側に取り付けられた少なくとも一つの回転可能な洗浄ブラシ（１０４）であって、前記基板（１０３）の面と平行な回転軸を有する洗浄ブラシ（１０４）と、前記基板（１０３）の裏側に取り付けられた把持部（１０２）と、前記基板（１０３）の表側において、前記基板（１０３）の周囲に設けられたカバー（１０５）であって、前記洗浄ブラシ（１０４）を被洗浄物（１０１）に押し付けたときに、前記カバー（１０５）の先端（１０５ａ）が撓み、前記被洗浄物（１０１）と前記先端（１０５ａ）との間に隙間が生じない程度の可撓性を有するカバー（１０５）と、前記基板（１０３）の表側に洗浄液を供給する洗浄液供給機構（１２０、１２１、１２２）と、からなる建物の外壁の洗浄装置（３００）において、前記カバー（１０５）の内側において、前記洗浄装置（３００）の使用時に最も下になる位置において前記基板（１０３）の表側から外側に向かって延びる剛性板（３１０）と、前記基板（１０３）の表側に洗浄水を供給する洗浄水供給機構（２０２、２０３、２０４）と、をさらに備えており、前記剛性板（３１０）には前記剛性板（３１０）を貫通する排水口（３１１）が形成されていることを特徴とする建物の外壁の洗浄装置（３００）を提供する。
【００２５】
本発明に係る建物の外壁の洗浄装置（４００）は排水吸引装置（４１０）をさらに備えるものとして構成することができる。この場合、前記排水口（３１１）は排水用ホース（２０６）を介して前記排水吸引装置（４１０）と連結される。
【００２６】
本発明に係る建物の外壁の洗浄装置（４００）は、前記カバー（１０５）の内側において、前記基板（１０３）の表側から外側に向かって延びる少なくとも一つの第二の剛性板（４１１、４１２）をさらに備えるものとして構成することができる。この場合、前記第二の剛性板（４１１、４１２）は、前記洗浄ブラシ（１０４）を前記被洗浄物（１０１）に押し付けたときの前記洗浄ブラシ（１０４）よりも高くない高さを有している。
【発明の効果】
【００２７】
本発明に係る建物の外壁の洗浄装置によれば、洗浄液が余剰に供給されたとしても、その洗浄液はカバーの外部に流れ出ることはなく、洗浄液はカバーに形成された排水口から排水用ホースを通って排水タンクに流れ込む。このため、余剰に供給された洗浄液を適切に処理することができる。
【００２８】
また、本発明に係る建物の外壁の洗浄装置は洗浄水供給機構及び洗浄水排水機構を有しているため、洗浄水を下方に落下させることなく、洗浄液が付着している外壁を洗浄水で洗い流すことが可能である。
【発明を実施するための最良の形態】
【００２９】
以下、本発明の実施形態に係る建物の外壁の洗浄装置を説明する。以下の実施形態において、図８乃至図１０に示した従来の洗浄装置１００における構成要素と同一の構成要素には同一の参照符号を付し、詳しい説明は省略する。
【００３０】
（第一の実施形態）
図１は本発明の第一の実施形態に係る洗浄装置２００の平面図であり、図２は洗浄装置２００を側方から見た場合の概略図である。
【００３１】
本発明の第一の実施形態に係る洗浄装置２００は、洗浄水供給機構及び洗浄水排水機構を備える点において、図８乃至図１０に示した従来の洗浄装置１００と異なっている。
【００３２】
洗浄水供給機構は、基板１０３に設けられた噴射ノズル１２０に隣接して配置されている洗浄水噴射ノズル２０１（図１及び図２参照）と、洗浄水を蓄えている洗浄水タンク２０２（図２参照）と、洗浄水タンク２０２から洗浄水を汲み上げる洗浄水ポンプ２０３（図２参照）と、洗浄水噴射ノズル２０１と洗浄水ポンプ２０３とを接続する洗浄水ホース２０４と、から構成されている。
【００３３】
図３は、本実施形態に係る洗浄装置２００の使用時において下方に位置することになるカバー１０５Ａを示す部分的な斜視図である。
【００３４】
図３に示すように、カバー１０５Ａには、カバー１０５Ａを貫通する排水口２０５が形成されている。
【００３５】
排水口２０５は、排水用ホース２０６を介して、排水タンク２０７に接続されている。
【００３６】
洗浄水タンク２０２及び排水タンク２０７はともにゴンドラ１１０上に載せられている。
【００３７】
排水口２０５が形成されているカバー１０５Ａが洗浄水排水機構を構成している。
【００３８】
本実施形態に係る洗浄装置２００は次のように作動する。
【００３９】
洗浄液で外壁１０１を洗浄した後、洗浄水ポンプ２０３を作動させると、洗浄水タンク２０２から洗浄水が汲み上げられ、洗浄水が洗浄水噴射ノズル２０１を通って、外壁１０１に噴射され、外壁１０１に付着している洗浄液が流れ落ちる。
【００４０】
洗浄水を外壁１０１に噴射する際、洗浄ブラシ１０４を作動させ、外壁１０１を洗浄することにより、より確実に、かつ、より短時間で外壁１０１上の洗浄液を洗い流すことができる。
【００４１】
カバー１０５の先端１０５ａが外壁１０１に密着しているため、洗浄水はカバー１０５の外部に流れ出ることはなく、洗浄水はカバー１０５Ａに形成された排水口２０５から排水用ホース２０６を通って排水タンク２０７に流れ込む。
【００４２】
以上のように、本実施形態に係る洗浄装置２００によれば、洗浄液が余剰に供給されたとしても、その洗浄液はカバー１０５の外部に流れ出ることはなく、洗浄液はカバー１０５Ａに形成された排水口２０５から排水用ホース２０６を通って排水タンク２０７に流れ込む。
【００４３】
また、本実施形態に係る洗浄装置２００は洗浄水供給機構及び洗浄水排水機構を有しているため、洗浄水を下方に落下させることなく、洗浄液が付着している外壁１０１を洗浄水で洗い流すことが可能である。
【００４４】
なお、本実施形態に係る洗浄装置２００においては、洗浄水ポンプ２０３を用いたが、洗浄水ポンプ２０３を用いることは必ずしも必要ではない。洗浄水ポンプ２０３以外の圧送装置を用いることも可能である。例えば、手動式の加圧ポンプを用いることも可能である。
【００４５】
（第二の実施形態）
図４は本発明の第二の実施形態に係る洗浄装置３００の平面図であり、図５は洗浄装置３００の部分的な斜視図である。
【００４６】
本実施形態に係る洗浄装置３００が第一の実施形態に係る洗浄装置２００と異なる点は、図４に示すように、本実施形態に係る洗浄装置３００の使用時において下方に位置することになる基板１０３の辺に沿って、基板１０３の表側から外側に向かって延びる剛性板３１０が形成されている点である。
【００４７】
図４に示すように、剛性板３１０は基板１０３の下辺及び左右の辺の一部に沿って形成されている。
【００４８】
剛性板３１０は、洗浄ブラシ１０４を外壁１０１に押し付けたときの洗浄ブラシ１０４よりも高くならない高さを有している。
【００４９】
さらに、図５に示すように、剛性板３１０には、カバー１０５Ａに形成された排水口２０５に合わせて、排水口３１１が形成されている。
【００５０】
なお、必要に応じて、カバー１０５Ａは剛性板３１０にテープ、針その他適当な手段を介して脱離自在に接着しておくことが可能である。
【００５１】
本実施形態に係る洗浄装置３００においては、排水用ホース２０６は、カバー１０５Ａに形成された排水口２０５を通過して、剛性板３１０の排水口３１１と排水タンク２０７とを接続している。
【００５２】
本実施形態に係る洗浄装置３００は第一の実施形態に係る洗浄装置２００と同様に作動する。
【００５３】
カバー１０５は可撓性を有する素材でつくられているため、洗浄装置３００の作動中において、必要以上に撓んでしまうおそれがある。特に、排水口２０５が形成されているカバー１０５Ａが撓んでしまうと、洗浄水の排水に支障をきたすおそれがある。本実施形態に係る洗浄装置３００においては、剛性板３１０が基板１０３の下辺に配置されているため、カバー１０５Ａは剛性板３１０により支持されることになり、カバー１０５Ａが撓むことはなくなる。
【００５４】
このため、本実施形態に係る洗浄装置３００は、第一の実施形態に係る洗浄装置２００と比較して、より円滑に洗浄水の排水を実行することができる。
【００５５】
（第三の実施形態）
図６は本発明の第三の実施形態に係る洗浄装置４００の平面図であり、図７は洗浄装置４００の部分的な斜視図である。
【００５６】
本実施形態に係る洗浄装置４００は、第二の実施形態に係る洗浄装置３００と比較して、排水吸引ポンプ４１０をさらに備えている点が異なる。
【００５７】
図７に示すように、本実施形態に係る洗浄装置４００においては、排水用ホース２０６は、カバー１０５Ａに形成された排水口２０５を通過して、剛性板３１０の排水口３１１と排水吸引ポンプ４１０とを接続しており、排水吸引ポンプ４１０はさらに排水タンク２０７に接続されている。
【００５８】
本実施形態に係る洗浄装置４００においては、洗浄水の排水時には排水吸引ポンプ４１０を作動させ、使用後の洗浄水を強制的に吸引し、排水タンク２０７に排出する。
【００５９】
このため、本実施形態に係る洗浄装置４００によれば、第一及び第二の実施形態に係る洗浄装置２００、３００と比較して、より多量の洗浄水の供給及び排水を実施することが可能になり、外壁１０１の洗浄効率を高めることができる。
【００６０】
さらに、本実施形態に係る洗浄装置４００は、剛性板３１０が取り付けられている基板１０３の下辺と直交する左右の二つの辺にも、剛性板３１０と同様の高さを有する第二剛性板４１１、４１２が形成されている。
【００６１】
第二剛性板４１１、４１２を設けることにより、第二剛性板４１１、４１２に対応するカバー１０５が必要以上に撓んでしまうことを防止することができる。
【００６２】
なお、必要に応じて、カバー１０５は第二剛性板４１１、４１２にテープ、針その他適当な手段を介して脱離自在に接着しておくことが可能である。
【００６３】
本実施形態に係る洗浄装置４００における排水吸引ポンプ４１０は第一の実施形態に係る洗浄装置２００に適用することも可能である。
【００６４】
なお、水を吸引することができる装置であれば、排水吸引ポンプ４１０に代えて、いかなる装置をも使用することが可能である。
【００６５】
また、第二剛性板４１１、４１２を第二の実施形態に係る洗浄装置３００に適用することも可能である。
【図面の簡単な説明】
【００６６】
【図１】本発明の第一の実施形態に係る洗浄装置の平面図である。
【図２】本発明の第一の実施形態に係る洗浄装置を側方から見た場合の概略図である。
【図３】本発明の第一の実施形態に係る洗浄装置の使用時において下方に位置することになるカバーを示す部分的な斜視図である。
【図４】本発明の第二の実施形態に係る洗浄装置の平面図である。
【図５】本発明の第二の実施形態に係る洗浄装置の部分的な斜視図である。
【図６】本発明の第三の実施形態に係る洗浄装置の平面図である。
【図７】本発明の第三の実施形態に係る洗浄装置の部分的な斜視図である。
【図８】従来の洗浄装置の平面図である。
【図９】図８のＡ−Ａ線における断面図である。
【図１０】従来の洗浄装置の使用状態を示す概略図である。
【符号の説明】
【００６７】
２００  本発明の第一の実施形態に係る洗浄装置
２０１  洗浄水噴射ノズル
２０２  洗浄水タンク
２０３  洗浄水ポンプ
２０４  洗浄水ホース
２０５  排水口
２０６  排水用ホース
２０７  排水タンク
３００  本発明の第二の実施形態に係る洗浄装置
３１０  剛性板
３１１  排水口
４００  本発明の第三の実施形態に係る洗浄装置
４１０  排水吸引ポンプ
４１１、４１２  第二剛性板
【図１】
2007229597.tif 000003
【図２】
2007229597.tif 000004
【図３】
2007229597.tif 000005
【図４】
2007229597.tif 000006
【図５】
2007229597.tif 000007
【図６】
2007229597.tif 000008
【図７】
2007229597.tif 000009
【図８】
2007229597.tif 000010
【図９】
2007229597.tif 000011
【図１０】
2007229597.tif 000012